(57)【要約】  本開示の実施形態は、シェービングアセンブリ及びシェービングアセンブリを含む毛切断器具に関する。シェービングアセンブリは、支持部材と、第１の方向に延在する切断要素と、第１の方向に引き延ばされ且つ延在し、切断要素を取り囲む、ガードフォイルと、ガードフォイルの少なくとも１つの端に配置され、皮膚に曝される湾曲面を含む、保護要素とを含み、ガードフォイルは、屈曲部と、平坦な接触面とを含み、屈曲部は、ガードフォイルを支持部材に固定するよう第１の方向に延び、接触面は、皮膚と接触するように構成される。
2021505252.tif 000002
【特許請求の範囲】
【請求項１】
支持部材と、
第１の方向に延在する切断要素と、
前記第１の方向に引き延ばされ且つ延在し、前記切断要素を取り囲む、ガードフォイルと、
該ガードフォイルの少なくとも１つの端に配置され、皮膚に曝される湾曲面を含む、保護要素とを含み、
前記ガードフォイルは、屈曲部と、平坦な接触面とを含み、前記屈曲部は、前記ガードフォイルを前記支持部材に固定するために前記第１の方向に延び、前記接触面は、前記皮膚と接触するように構成されることを特徴とする、
シェービングアセンブリ。
【請求項２】
前記保護要素及び前記ガードフォイルの前記端は、一体的に形成されることを特徴とする、請求項１に記載のシェービングアセンブリ。
【請求項３】
前記保護要素は、前記ガードフォイルの前記接触面から前記ガードフォイルの底面へ移行する丸みのある表面を含み、
該丸みのある表面は、前記ガードフォイルの厚さ以上の丸め半径を有することを特徴とする、
請求項２に記載のシェービングアセンブリ。
【請求項４】
前記保護要素は、前記ガードフォイルから移行し、前記皮膚から離れる方向に徐々に湾曲するように構成される、湾曲部分を含み、
該湾曲部分は、前記ガードフォイルの前記接触面から移行する第１の湾曲面と、前記ガードフォイルの底面から移行する第２の湾曲面とを含むことを特徴とする、
請求項２に記載のシェービングアセンブリ。
【請求項５】
前記保護要素は、
前記ガードフォイルから移行し、前記皮膚に向かう方向に徐々に湾曲するように構成される、第１の湾曲部分と、
該第１の湾曲部分から移行し、前記皮膚から離れる方向に徐々に湾曲するように構成される、第２の湾曲部分とを含み、
前記第１の湾曲部分及び前記第２の湾曲部分は、前記湾曲面を共同で画定することを特徴とする、
請求項２に記載のシェービングアセンブリ。
【請求項６】
前記保護要素は、ラッカ又は樹脂で作られ、前記ガードフォイルの前記端を取り囲む丸みのあるプロファイルを有する、ビーズとして構成されることを特徴とする、請求項１に記載のシェービングアセンブリ。
【請求項７】
前記保護要素は、前記支持部材の側壁として構成され、該側壁は、前記第１の方向に対して実質的に垂直な第２の方向において前記接触面を越えて突出する前記湾曲面を含むことを特徴とする、請求項１に記載のシェービングアセンブリ。
【請求項８】
前記側壁は、前記ガードフォイルの前記端を取り囲むことを特徴とする、請求項７に記載のシェービングアセンブリ。
【請求項９】
前記接触面は、前記第１の方向に沿って配置される複数のガード歯を含み、
前記切断要素は、前記第１の方向に沿って配置され、前記第１の方向に沿って前記複数のガード歯に対して移動するように構成される、複数の移動歯を含むことを特徴とする、
請求項７に記載のシェービングアセンブリ。
【請求項１０】
請求項１乃至９のうちのいずれか１項に記載のシェービングアセンブリと、
該シェービングアセンブリの内側で前記切断要素の動きを引き起こすように構成される駆動機構とを含むことを特徴とする、
毛切断器具。
【発明の詳細な説明】
【技術分野】
【０００１】
本開示の実施形態は、一般的には、家庭用電化製品に関し、より具体的には、シェービングアセンブリ(shaving assembly)及びシェービングアセンブリを含む毛切断器具(hair
cutting appliance)に関する。
【背景技術】
【０００２】
顔毛を剃り且つ手入れするための従来的なトリマ(trimmers)又はクリッパ(clippers)は、皮膚から特定の距離で毛を切断するように設計されている。近接シェービングトリマ(close  shaving  trimmers)は、従来的なトリマよりも皮膚からより一層近い距離で毛を切ることを可能にするよう変更された構造を使用している。通常、近接シェービングトリマは、より薄いガード−歯に依存する。更に、効果的で快適なトリミングを達成するために、複雑な丸い構成よび他の構成が必要とされることもある。
【０００３】
ある構造において、歯の第1の皮膚接触部分は、例えば、近接毛切断を可能にするよう薄い金属ガード歯と組み合わされた（プラスチックのような）成形可能な材料から構成されることがある。
【０００４】
特許文献１に開示されているような代替的な構造では、ガード歯又は毛捕捉切欠きを備える薄く平坦な金属シートが成形されたベースの上に延ばされる。このタイプの構造は、コストに関する利点を有する。何故ならば、このタイプの構造は、薄いフォイル(箔)の平坦なシートから簡単に構成されることができるからである。しかしながら、この構造は、皮膚の上を滑動する側面での快適性及び安全性の問題に対処していない。両方の滑動側面のエッジは、真っ直ぐであり、シェービングの快適性又は安全性について最適でない。何故ならば、それらは、打抜き又は切断によって薄い平坦なシートから形成されるからである。この場合、鋭利な滑動スライドが適用され且つ皮膚の上で滑らされるときに、不快感が引き起こされる。
【発明の概要】
【０００５】
鋭利な滑動側面(glide  sides)によって引き起こされる不快感の問題を解決し、そして、安全性の問題さえも解決するために、本開示の実施形態は、保護要素を備えるシェービングアセンブリ及びそのようなシェービングアセンブリを含む毛切断器具を提供する。
【０００６】
第１の態様において、シェービングアセンブリが提供される。シェービングアセンブリは、支持部材と、第１の方向に延在する切断要素と、第１の方向に引き延ばされ且つ延在し、切断要素を取り囲む、ガードフォイルと、ガードフォイルの少なくとも１つの端に配置され、皮膚に曝される湾曲面を含む、保護要素とを含み、ガードフォイルは、屈曲部と、平坦な接触面とを含み、屈曲部は、ガードフォイルを支持部材に固定するために第１の方向に延び、平坦な接触面は、皮膚と接触するように構成される。
【０００７】
本開示の実施形態によれば、保護要素は、ユーザの皮膚が未処理の鋭利なエッジと直接接触することを効果的に回避することができ、それによって、ユーザの皮膚との皮膚に優しい接触を可能にする。
【０００８】
幾つかの実施形態において、保護要素及びガードフォイルの端は、一体的に形成される。幾つかの実施形態において、保護要素は、ガードフォイルの接触面からガードフォイルの底面へ移行する丸みのある表面を含み、丸みのある表面は、ガードフォイルの厚さ以上の丸め半径を有する。
【０００９】
この設計において、丸みのある表面は、接触面の全体的な平坦な形状を変化させず、厚さ方向のエッジのプロファイルを局所的にのみ変化させる。従って、ガードフォイルの全体的な剛性を良好に維持することができる。その上、追加的な要素（又は部品）がないこと、並びに単純な製造は、そのような保護要素を費用効果的にする。
【００１０】
幾つかの実施形態において、保護要素は、ガードフォイルから移行し、皮膚から離れる方向に徐々に湾曲するように構成される、湾曲部分を含み、湾曲部分は、ガードフォイルの接触面から移行する第１の湾曲面と、ガードフォイルの底面から移行する第２の湾曲面とを含む。
【００１１】
この設計において、引っ込んだエッジ(receding  edge)を備えるそのような湾曲部分は、大きな空間内で湾曲させられる或いは曲げられることが許容される。従って、湾曲部分の曲率を大きく調整することができ、それによって、高い設計の柔軟性を可能にすることができる。
【００１２】
幾つかの実施形態において、保護要素は、ガードフォイルから移行し、皮膚に向かう方向に徐々に湾曲するように構成される、第１の湾曲部分と、第１の湾曲部分から移行し、皮膚から離れる方向に徐々に湾曲するように構成される、第２の湾曲部分とを含み、第１の湾曲部分及び第２の湾曲部分は、湾曲面を共同で画定する。
【００１３】
この設計では、追加的な要素又は部品が必要とされず、それは保護要素を費用効果的にする。その上、引っ込んだエッジの僅かな持上がり(raising)は、小さな「膨らみ(バルジ)(bulge)」を作り出し、それは、ガード歯のための主要な機能的な曲げのために側面からの曲げ応力を均衡させるのに役立ち得る。一方、そのような小さな膨らみは、シェービング性能に殆どを影響を有さず、或いは全く影響を有さない。
【００１４】
幾つかの実施形態において、保護要素は、ラッカ又は樹脂で作られ、ガードフォイルの端を取り囲む丸みのあるプロファイルを有する、ビードとして構成される。
【００１５】
例えば、鋭利なエッジの単純な浸漬(dipping)又はエッジ塗装(edge-painting)によって形成される、そのような保護要素は、効果的で低コストの保護解決策を提供することができる。その上、シェービングアセンブリのシェービング寿命のための十分な耐久性を達成することができる。
【００１６】
幾つかの実施形態において、保護要素は、支持部材の側壁として構成され、側壁は、第１の方向に対して実質的に垂直な第２の方向において接触面を越えて突出する湾曲面を含む。幾つかの実施形態において、側壁は、ガードフォイルの端を取り囲む。
【００１７】
このようにして、ガードフォイルの当初の設計は影響を受けず、それはガードフォイルの製造を容易にする。その上、そのようなモジュール式のコンポーネントベースのシェービングアセンブリは、製造業者が全ての必要なコンポーネントを個別に製造し、将来の組立のためにそれらを保管することを可能にする。加えて、側壁は、毛切断中に支持要素及びガードフォイルによって画定される内部空間を閉じるように、シェービングアセンブリの側面カバーとして機能することもあるので、切り落とされた毛は、少なくとも一時的に、周囲に行くことなく内部空間内に保持されることがある。
【００１８】
幾つかの実施形態において、接触面は、第１の方向に沿って配置される複数のガード歯を含み、切断要素は、第１の方向に沿って配置され、第１の方向に沿って複数のガード歯に対して動くように構成される、複数の移動歯を含む。
【００１９】
第２の態様において、毛切断器具が提供される。毛切断器具は、本開示の第１の態様に従ったシェービングアセンブリと、シェービングアセンブリの内側で切断要素の動きを引き起こすように構成される駆動機構とを含む。
【００２０】
以下の議論を通じて、従来的な毛切断器具と比較して、本開示の様々な実施形態に従った皮膚に優しいシェービングアセンブリを含む毛切断器具は、鋭利なエッジがユーザの皮膚に直接接触することを回避し、それによって、不快感及び安全性の問題を除去することができることは明らかであろう。一方、より安価なコンポーネント及びより複雑でない丸め設計の故に、器具の全体コストが低減され、製造／組立が単純化される。
【００２１】
本明細書に記載する図面は、本開示を更に説明するために提供され、本開示の一部を構成する。本開示の例示的な実施形態及びそれらの説明は、本開示を不適切に限定するためではなく、本開示を説明するために使用される。
【図面の簡単な説明】
【００２２】
【図１Ａ】組み立てられていない状態における従来的なシェービングアセンブリの斜視図を例示している。
【図１Ｂ】組み立てられた状態における図１Ａのシェービングアセンブリの斜視図を例示している。
【図２Ａ】本開示の実施形態に従ったガードフォイルの一部として構成された保護コンポーネントを含むシェービングアセンブリの斜視図を例示している。
【図２Ｂ】図２Ａの保護コンポーネントを含むシェービングアセンブリの断面図を例示している。
【図３】本開示の実施形態に従ったガードフォイルの一部として構成された保護コンポーネントを含むシェービングアセンブリの断面図を例示している。
【図４Ａ】本開示の実施形態に従ったガードフォイルの一部として構成された保護コンポーネントを含むシェービングアセンブリの斜視図を例示している。
【図４Ｂ】図４Ａの保護コンポーネントを含むシェービングアセンブリの断面図を例示している。
【図５Ａ】本開示の実施形態に従った別個のコンポーネントとして構成された保護コンポーネントを含むシェービングアセンブリの斜視図を例示している。
【図５Ｂ】図５Ａの保護コンポーネントを含むシェービングアセンブリの断面図を例示している。
【図６Ａ】本開示の実施形態に従ったシェービングアセンブリの支持部材の側壁として構成された保護要素の斜視図を例示している。
【図６Ｂ】図６Ａの保護要素を含むシェービングアセンブリの断面図を例示している。
【図６Ｃ】図６Ａの保護要素を含むシェービングアセンブリの斜視図を例示している。
【発明を実施するための形態】
【００２３】
図面を通じて、同一又は類似の参照記号を使用して、同一又は類似の要素を指し示す。
【００２４】
次に、図面に示す幾つかの例示的な実施形態を参照して本開示の原理を記載する。本開示の例示的な実施形態が図面に例示されているが、実施形態は、本開示の範囲を如何なる方法においても制限するのではなく、当業者が本開示をより良く理解することによって本開示を達成することを容易にするために記載されているに過ぎないことが理解されるべきである。
【００２５】
図１Ａは、組み立てられていない状態における従来的なシェービングアセンブリ１００の斜視図を例示している。図示のように、シェービングアセンブリ１００は、一般的に、支持部材１と、第１の方向Ｘに延在する切断要素２と、同様に第１の方向Ｘに延在するガードフォイル３(guard  foil)とを含む。
【００２６】
接触面３１は、第１の方向Ｘに沿って配置された複数のガード歯３７（「毛捕捉切欠き」とも呼ぶ）を含み、切断要素２は、第１の方向Ｘに沿って配置された複数の移動歯２１を含む。動作中、駆動機構（図示せず）の制御の下で、移動歯２１は、第１の方向Ｘに沿って複数のガード歯３７に対して移動（又は振動）するように構成される。議論のために、第１の方向Ｘは、シェービングアセンブリ１００の長手方向と考えられてよい。
【００２７】
図１Ｂは、組み立てられた状態におけるシェービングアセンブリ１００の斜視図を例示している。図示のように、ガードフォイル３は、第１の方向Ｘに沿う軸に対してガードフォイル３の一部の屈曲部を介して引き延ばされて(stretched)、切断要素２を取り囲んでいる(surrounding)。幾つかの実施態様において、ガードフォイル３の厚さは、４０〜１２０マイクロメートルの範囲内にあり、例えば、８０マイクロメートルである。
【００２８】
ガードフォイル３は、屈曲部３８と平坦な接触面３１とを含む。屈曲部３８は、ガードフォイル３を支持部材１に固定するために第１の方向Ｘに延在している。平坦な接触面３１は、ユーザの皮膚と接触するように構成されている。
【００２９】
図１Ｂに更に示すように、第１の方向Ｘに沿う２つの横方向側面に加えて、平坦な接触面３１は、第１の方向Ｘに対して実質的に垂直に向けられ、且つ保護手段がその上に設けられずにユーザの皮膚に露出した、２つの滑動エッジ３９(glide  edges)も含む。上記で議論したように、滑動エッジ３９が薄い金属フォイルから打抜き又は切断によって形成されるという事実を考慮すると、これらの２つの滑動エッジ３９は、通常、鋭利であり、剃り心地又は安全性にとって最適でない。
【００３０】
前述のことを考慮して、本開示の様々な実施形態によれば、図１Ａ〜図１Ｂに示されるようなシェービングアセンブリ１００は、皮膚に優しい保護要素４を更に備える。保護要素４は、ガードフォイル３の端３１０に配置され、ユーザの皮膚に露出する湾曲面４１を含む。このようにして、鋭利なエッジがユーザの皮膚と直接接触することを回避することができ、それによって、剃り心地を向上させることができ、剃り安全性を保証することができる。
【００３１】
図２Ａ〜図６Ｃを参照して保護要素４を備えるシェービングアセンブリ１００の様々な実施形態を以下に記載する。
【００３２】
幾つかの実施態様では、保護要素４及びガードフォイル３の端３１０を一体的に形成することができる。換言すれば、保護要素４は、ガードフォイルの一部として考えられてよい。図２Ａ〜図２Ｂに示すような例示的な実施形態において、保護要素４は、ガードフォイル３の接触面３１からガードフォイル３の底面３３へ移動する丸みのある表面３２を含んでよい。図２Ｂは、第１の方向Ｘに沿う保護要素４の断面図を示している。図示のように、丸みのある表面３２は、ガードフォイル３の厚さＴ以上の丸め半径Ｒ(rounding  radius)を有してよい。
【００３３】
例えば、接触面３１のエッジを研磨することによって、ガードフォイル３の厚さに近い半径を備えるそのような円弧状エッジ(arced  edge)（「丸み付きエッジ(radiused  edge)」と呼ぶこともある）を達成することができる。丸み付きエッジは、接触面３１の全体的な平坦な形状を変化させず、エッジのプロファイルを厚さ方向において局所的にのみ変化させる、或いは、換言すれば、ガードフォイル３の底面３３は、実質的に平坦に維持される。従って、ガードフォイル３の全体的な剛性を良好に維持することができる。その上、追加的な要素又は部品がないこと、並びに単純な研磨手順は、保護要素を費用効果的にする。
【００３４】
代替的に、図３に示すような別の例示的な実施形態において、保護要素４は、ガードフォイル３から移行し、皮膚Ｙ１から離れる方向に徐々に湾曲するように構成された、湾曲部分３４を含む。この設計において、湾曲部分３４は、ガードフォイル３の接触面３１から移動する第１の湾曲面３４１と、ガードフォイル３の底面３３から移動する第２の湾曲面３４２とを含む。
【００３５】
幾つかの実施態様において、湾曲部分３４は、ガードフォイル３の厚さＴと実質的に等しい均一な厚さＴ１を有してよい。幾つかの他の実施形態では、湾曲部分３４全体に亘る厚さの変化が許容されてよい。
【００３６】
引っ込んだエッジ(receding  edge)を備えるそのような湾曲部分３４は、大きな空間内で湾曲させられるか或いは曲げられることが許容されるので、湾曲部分３４の曲率を大きく調整することができ、それによって、高い設計の柔軟性を可能にすることができる。
【００３７】
更に別の実施形態において、保護要素４は、第１の湾曲部分３５と、第２の湾曲部分３６とを含んでよく、それらは湾曲面４１を共に画定する。例えば、図４Ａ〜図４Ｂに示すように、第１の湾曲部分３５は、ガードフォイル３から移行し、皮膚に向かう方向Ｙ２に徐々に湾曲するように構成され、第２の湾曲部分３６は、第１の湾曲部分３５から移行し、皮膚から離れる方向Ｙ１に徐々に湾曲するように構成される。
【００３８】
幾つかの実施態様において、第１の湾曲部分３５及び第２の湾曲部分３６は、ガードフォイル３の厚さＴと実質的に等しい均一な厚さＴ２を有してよい。幾つかの他の実施形態では、第１の湾曲部分３５及び第２の湾曲部分３６全体に亘る厚さの変化が許容されてよい。
【００３９】
この設計では、追加的な要素又は部品が必要とされず、それは保護要素を費用効果的にする。その上、図３に示すような引っ込んだエッジと比較して、引っ込んだエッジの僅かな持上がり(raising)は、小さな「膨らみ(バルジ)(bulge)」を作り出し、それはガード歯３７のための主要な機能的な曲げのために側面からの曲げ応力を均衡させるのに役立つ。一方、そのような小さな膨らみは、シェービング性能に殆ど影響を有さず、或いは全く影響を有さない。
【００４０】
図５Ａ〜図５Ｂに示すような幾つかの実施例において、保護要素４は、ラッカ(lacquer)又は樹脂(resin)で作られ、且つガードフォイル３の端３１０を取り囲む丸みのあるプロファイル４７を有する、ビーズ(bead)として構成されることができる。例えば、鋭利なエッジの単純な浸漬(dipping)又はエッジ塗装(edge-painting)によって形成される、そのような保護要素４は、効果的かつ低コストな保護解決策を提供することができる。その上、追加的な保護ビーズの故に、シェービングアセンブリ１００のシェービング寿命のための十分な耐久性を達成することができる。
【００４１】
図６Ａ〜図６Ｃに示すような幾つかの実施形態において、保護要素４は、支持部材１の側壁４２として構成されている。側壁４２は、第１の方向Ｘに対して実質的に垂直な第２の方向Ｙにおいて接触面３１を越えて突出する湾曲面４１を含む。側壁４２は支持部材１と一体的に形成されてよいことが理解されるべきである。もちろん、側壁４２は、支持部材１から取り外し可能な別個のコンポーネントであってもよい。幾つかの実施形態において、側壁４２は、ガードフォイル３の端３１０がユーザの皮膚に曝されることから完全に保護するために、ガードフォイル３の端３１０を取り囲んでよい。
【００４２】
このようにして、ガードフォイル３の元々の設計は影響を受けず、それはガードフォイル３の製造(fabrication)を容易にする。その上、そのようなモジュール式のコンポーネントベースのシェービングアセンブリ１００は、製造業者が全ての必要なコンポーネントを個別に製造し、将来の組立のためにそれらを保管することを可能にする。加えて、側壁４２は、毛切断中に支持要素１及びガードフォイル３によって画定される内部空間を閉じるように、シェービングアセンブリ１００の側面カバーとして機能してもよい。このようにして、切り落とされた毛は、少なくとも一時的に、周囲に行くことなく内部空間内に保持されることがある。
【００４３】
本開示の上記の詳細な実施形態は本開示の原理を例示するか或いは説明するためだけにあり、本開示を制限するためにないことが理解されるべきである。従って、あらゆる修正、均等な代替及び改良などは、本開示の精神及び範囲から逸脱することなく、本開示の保護の範囲に含まれるものとする。一方、本開示の添付の請求項は、請求項の範囲及び境界又はその範囲及び境界の均等物に入る全ての変形及び修正をカバーすることを目的としている。
【先行技術文献】
【特許文献】
【００４４】
【特許文献１】中国特許出願公開第１０６３４６５１９Ａ号明細書
【図１Ａ】
2021505252.tif 000003
【図１Ｂ】
2021505252.tif 000004
【図２Ａ】
2021505252.tif 000005
【図２Ｂ】
2021505252.tif 000006
【図３】
2021505252.tif 000007
【図４Ａ】
2021505252.tif 000008
【図４Ｂ】
2021505252.tif 000009
【図５Ａ】
2021505252.tif 000010
【図５Ｂ】
2021505252.tif 000011
【図６Ａ】
2021505252.tif 000012
【図６Ｂ】
2021505252.tif 000013
【図６Ｃ】
2021505252.tif 000014
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
支持部材と、
第１の方向に延在する切断要素と、
前記第１の方向に引き延ばされ且つ延在し、前記切断要素を取り囲む、ガードフォイルと、
該ガードフォイルの少なくとも１つの端に配置され、皮膚に曝される湾曲面を含む、保護要素とを含み、
前記ガードフォイルは、屈曲部と、平坦な接触面とを含み、前記屈曲部は、前記ガードフォイルを前記支持部材に固定するために前記第１の方向に延び、前記接触面は、前記皮膚と接触するように構成され、
前記保護要素及び前記ガードフォイルの前記端は、一体的に形成され、
前記保護要素は、前記ガードフォイルの前記接触面から前記ガードフォイルの底面へ移行する丸みのある表面を含み、該丸みのある表面は、前記ガードフォイルの厚さ以上の丸め半径を有することを特徴とする、
シェービングアセンブリ。
【請求項２】
支持部材と、
第１の方向に延在する切断要素と、
前記第１の方向に引き延ばされ且つ延在し、前記切断要素を取り囲む、ガードフォイルと、
該ガードフォイルの少なくとも１つの端に配置され、皮膚に曝される湾曲面を含む、保護要素とを含み、
前記ガードフォイルは、屈曲部と、平坦な接触面とを含み、前記屈曲部は、前記ガードフォイルを前記支持部材に固定するために前記第１の方向に延び、前記接触面は、前記皮膚と接触するように構成され、
前記保護要素及び前記ガードフォイルの前記端は、一体的に形成され、
前記保護要素は、前記ガードフォイルから移行し、前記皮膚から離れる方向に徐々に湾曲するように構成される、湾曲部分を含み、
該湾曲部分は、前記ガードフォイルの前記接触面から移行する第１の湾曲面と、前記ガードフォイルの底面から移行する第２の湾曲面とを含むことを特徴とする、
シェービングアセンブリ。
【請求項３】
支持部材と、
第１の方向に延在する切断要素と、
前記第１の方向に引き延ばされ且つ延在し、前記切断要素を取り囲む、ガードフォイルと、
該ガードフォイルの少なくとも１つの端に配置され、皮膚に曝される湾曲面を含む、保護要素とを含み、
前記ガードフォイルは、屈曲部と、平坦な接触面とを含み、前記屈曲部は、前記ガードフォイルを前記支持部材に固定するために前記第１の方向に延び、前記接触面は、前記皮膚と接触するように構成され、
前記保護要素及び前記ガードフォイルの前記端は、一体的に形成され、
前記保護要素は、
前記ガードフォイルから移行し、前記皮膚に向かう方向に徐々に湾曲するように構成される、第１の湾曲部分と、
該第１の湾曲部分から移行し、前記皮膚から離れる方向に徐々に湾曲するように構成される、第２の湾曲部分とを含み、
前記第１の湾曲部分及び前記第２の湾曲部分は、前記湾曲面を共同で画定することを特徴とする、
シェービングアセンブリ。
【請求項４】
支持部材と、
第１の方向に延在する切断要素と、
前記第１の方向に引き延ばされ且つ延在し、前記切断要素を取り囲む、ガードフォイルと、
該ガードフォイルの少なくとも１つの端に配置され、皮膚に曝される湾曲面を含む、保護要素とを含み、
前記ガードフォイルは、屈曲部と、平坦な接触面とを含み、前記屈曲部は、前記ガードフォイルを前記支持部材に固定するために前記第１の方向に延び、前記接触面は、前記皮膚と接触するように構成され、
前記保護要素は、ラッカ又は樹脂で作られ、前記ガードフォイルの前記端を取り囲む丸みのあるプロファイルを有する、ビーズとして構成され、
前記保護要素は、前記端の単純な浸漬又はエッジ塗装によって形成されることを特徴とする、
シェービングアセンブリ。
【請求項５】
請求項１乃至４のうちのいずれか１項に記載のシェービングアセンブリと、
該シェービングアセンブリの内側で前記切断要素の動きを引き起こすように構成される駆動機構とを含むことを特徴とする、
毛切断器具。
【手続補正２】
【補正対象書類名】明細書
【補正対象項目名】全文
【補正方法】変更
【補正の内容】
【発明の詳細な説明】
【技術分野】
【０００１】
本開示の実施形態は、一般的には、家庭用電化製品に関し、より具体的には、シェービングアセンブリ(shaving  assembly)及びシェービングアセンブリを含む毛切断器具(hair  cutting  appliance)に関する。
【背景技術】
【０００２】
顔毛を剃り且つ手入れするための従来的なトリマ(trimmers)又はクリッパ(clippers)は、皮膚から特定の距離で毛を切断するように設計されている。近接シェービングトリマ(close  shaving  trimmers)は、従来的なトリマよりも皮膚からより一層近い距離で毛を切ることを可能にするよう変更された構造を使用している。通常、近接シェービングトリマは、より薄いガード−歯に依存する。更に、効果的で快適なトリミングを達成するために、複雑な丸い構成よび他の構成が必要とされることもある。
【０００３】
ある構造において、歯の第1の皮膚接触部分は、例えば、近接毛切断を可能にするよう薄い金属ガード歯と組み合わされた（プラスチックのような）成形可能な材料から構成されることがある。
【０００４】
特許文献１に開示されているような代替的な構造では、ガード歯又は毛捕捉切欠きを備える薄く平坦な金属シートが成形されたベースの上に延ばされる。このタイプの構造は、コストに関する利点を有する。何故ならば、このタイプの構造は、薄いフォイル(箔)の平坦なシートから簡単に構成されることができるからである。しかしながら、この構造は、皮膚の上を滑動する側面での快適性及び安全性の問題に対処していない。両方の滑動側面のエッジは、真っ直ぐであり、シェービングの快適性又は安全性について最適でない。何故ならば、それらは、打抜き又は切断によって薄い平坦なシートから形成されるからである。この場合、鋭利な滑動スライドが適用され且つ皮膚の上で滑らされるときに、不快感が引き起こされる。
【発明の概要】
【０００５】
鋭利な滑動側面(glide  sides)によって引き起こされる不快感の問題を解決し、そして、安全性の問題さえも解決するために、本開示の実施形態は、保護要素を備えるシェービングアセンブリ及びそのようなシェービングアセンブリを含む毛切断器具を提供する。
【０００６】
第１の態様において、シェービングアセンブリが提供される。シェービングアセンブリは、支持部材と、第１の方向に延在する切断要素と、第１の方向に引き延ばされ且つ延在し、切断要素を取り囲む、ガードフォイルと、ガードフォイルの少なくとも１つの端に配置され、皮膚に曝される湾曲面を含む、保護要素とを含み、ガードフォイルは、屈曲部と、平坦な接触面とを含み、屈曲部は、ガードフォイルを支持部材に固定するために第１の方向に延び、平坦な接触面は、皮膚と接触するように構成される。
【０００７】
保護要素及びガードフォイルの端は、一体的に形成される。保護要素は、ガードフォイルの接触面からガードフォイルの底面へ移行する丸みのある表面を含み、丸みのある表面は、ガードフォイルの厚さ以上の丸め半径を有する。
【０００８】
この設計において、丸みのある表面は、接触面の全体的な平坦な形状を変化させず、厚さ方向のエッジのプロファイルを局所的にのみ変化させる。従って、ガードフォイルの全体的な剛性を良好に維持することができる。その上、追加的な要素（又は部品）がないこと、並びに単純な製造は、そのような保護要素を費用効果的にする。
【０００９】
本開示の実施形態によれば、保護要素は、ユーザの皮膚が未処理の鋭利なエッジと直接接触することを効果的に回避することができ、それによって、ユーザの皮膚との皮膚に優しい接触を可能にする。
【００１０】
第２の態様において、シェービングアセンブリが提供される。シェービングアセンブリは、支持部材と、第１の方向に延在する切断要素と、第１の方向に引き延ばされ且つ延在し、切断要素を取り囲む、ガードフォイルと、ガードフォイルの少なくとも１つの端に配置され、皮膚に曝される湾曲面を含む、保護要素とを含み、ガードフォイルは、屈曲部と、平坦な接触面とを含み、屈曲部は、ガードフォイルを支持部材に固定するために第１の方向に延び、平坦な接触面は、皮膚と接触するように構成される。
【００１１】
保護要素及びガードフォイルの端は、一体的に形成される。保護要素は、ガードフォイルから移行し、皮膚から離れる方向に徐々に湾曲するように構成される、湾曲部分を含み、湾曲部分は、ガードフォイルの接触面から移行する第１の湾曲面と、ガードフォイルの底面から移行する第２の湾曲面とを含む。
【００１２】
本開示の実施形態によれば、保護要素は、ユーザの皮膚が未処理の鋭利なエッジと直接接触することを効果的に回避することができ、それによって、ユーザの皮膚との皮膚に優しい接触を可能にする。
【００１３】
この設計において、引っ込んだエッジ(receding  edge)を備えるそのような湾曲部分は、大きな空間内で湾曲させられる或いは曲げられることが許容される。従って、湾曲部分の曲率を大きく調整することができ、それによって、高い設計の柔軟性を可能にすることができる。
【００１４】
第３の態様において、シェービングアセンブリが提供される。シェービングアセンブリは、支持部材と、第１の方向に延在する切断要素と、第１の方向に引き延ばされ且つ延在し、切断要素を取り囲む、ガードフォイルと、ガードフォイルの少なくとも１つの端に配置され、皮膚に曝される湾曲面を含む、保護要素とを含み、ガードフォイルは、屈曲部と、平坦な接触面とを含み、屈曲部は、ガードフォイルを支持部材に固定するために第１の方向に延び、平坦な接触面は、皮膚と接触するように構成される。
【００１５】
保護要素及びガードフォイルの端は、一体的に形成される。保護要素は、ガードフォイルから移行し、皮膚に向かう方向に徐々に湾曲するように構成される、第１の湾曲部分と、第１の湾曲部分から移行し、皮膚から離れる方向に徐々に湾曲するように構成される、第２の湾曲部分とを含み、第１の湾曲部分及び第２の湾曲部分は、湾曲面を共同で画定する。
【００１６】
本開示の実施形態によれば、保護要素は、ユーザの皮膚が未処理の鋭利なエッジと直接接触することを効果的に回避することができ、それによって、ユーザの皮膚との皮膚に優しい接触を可能にする。
【００１７】
この設計では、追加的な要素又は部品が必要とされず、それは保護要素を費用効果的にする。その上、引っ込んだエッジの僅かな持上がり(raising)は、小さな「膨らみ(バルジ)(bulge)」を作り出し、それは、ガード歯のための主要な機能的な曲げのために側面からの曲げ応力を均衡させるのに役立ち得る。一方、そのような小さな膨らみは、シェービング性能に殆どを影響を有さず、或いは全く影響を有さない。
【００１８】
第４の態様において、シェービングアセンブリが提供される。シェービングアセンブリは、支持部材と、第１の方向に延在する切断要素と、第１の方向に引き延ばされ且つ延在し、切断要素を取り囲む、ガードフォイルと、ガードフォイルの少なくとも１つの端に配置され、皮膚に曝される湾曲面を含む、保護要素とを含み、ガードフォイルは、屈曲部と、平坦な接触面とを含み、屈曲部は、ガードフォイルを支持部材に固定するために第１の方向に延び、平坦な接触面は、皮膚と接触するように構成される。
【００１９】
保護要素は、ラッカ又は樹脂で作られ、ガードフォイルの端を取り囲む丸みのあるプロファイルを有する、ビードとして構成される。
【００２０】
そのような保護要素は、効果的で低コストの保護解決策を提供するよう、鋭利なエッジの単純な浸漬(dipping)又はエッジ塗装(edge-painting)によって形成される。その上、シェービングアセンブリのシェービング寿命のための十分な耐久性を達成することができる。
【００２１】
本開示の実施形態によれば、保護要素は、ユーザの皮膚が未処理の鋭利なエッジと直接接触することを効果的に回避することができ、それによって、ユーザの皮膚との皮膚に優しい接触を可能にする。
【００２２】
第５の態様において、毛切断器具が提供される。毛切断器具は、本開示の第１の態様に従ったシェービングアセンブリと、シェービングアセンブリの内側で切断要素の動きを引き起こすように構成される駆動機構とを含む。
【００２３】
以下の議論を通じて、従来的な毛切断器具と比較して、本開示の様々な実施形態に従った皮膚に優しいシェービングアセンブリを含む毛切断器具は、鋭利なエッジがユーザの皮膚に直接接触することを回避し、それによって、不快感及び安全性の問題を除去することができることは明らかであろう。一方、より安価なコンポーネント及びより複雑でない丸め設計の故に、器具の全体コストが低減され、製造／組立が単純化される。
【００２４】
本明細書に記載する図面は、本開示を更に説明するために提供され、本開示の一部を構成する。本開示の例示的な実施形態及びそれらの説明は、本開示を不適切に限定するためではなく、本開示を説明するために使用される。
【図面の簡単な説明】
【００２５】
【図１Ａ】組み立てられていない状態における従来的なシェービングアセンブリの斜視図を例示している。
【図１Ｂ】組み立てられた状態における図１Ａのシェービングアセンブリの斜視図を例示している。
【図２Ａ】本開示の実施形態に従ったガードフォイルの一部として構成された保護コンポーネントを含むシェービングアセンブリの斜視図を例示している。
【図２Ｂ】図２Ａの保護コンポーネントを含むシェービングアセンブリの断面図を例示している。
【図３】本開示の実施形態に従ったガードフォイルの一部として構成された保護コンポーネントを含むシェービングアセンブリの断面図を例示している。
【図４Ａ】本開示の実施形態に従ったガードフォイルの一部として構成された保護コンポーネントを含むシェービングアセンブリの斜視図を例示している。
【図４Ｂ】図４Ａの保護コンポーネントを含むシェービングアセンブリの断面図を例示している。
【図５Ａ】本開示の実施形態に従った別個のコンポーネントとして構成された保護コンポーネントを含むシェービングアセンブリの斜視図を例示している。
【図５Ｂ】図５Ａの保護コンポーネントを含むシェービングアセンブリの断面図を例示している。
【発明を実施するための形態】
【００２６】
図面を通じて、同一又は類似の参照記号を使用して、同一又は類似の要素を指し示す。
【００２７】
次に、図面に示す幾つかの例示的な実施形態を参照して本開示の原理を記載する。本開示の例示的な実施形態が図面に例示されているが、実施形態は、本開示の範囲を如何なる方法においても制限するのではなく、当業者が本開示をより良く理解することによって本開示を達成することを容易にするために記載されているに過ぎないことが理解されるべきである。
【００２８】
図１Ａは、組み立てられていない状態における従来的なシェービングアセンブリ１００の斜視図を例示している。図示のように、シェービングアセンブリ１００は、一般的に、支持部材１と、第１の方向Ｘに延在する切断要素２と、同様に第１の方向Ｘに延在するガードフォイル３(guard  foil)とを含む。
【００２９】
接触面３１は、第１の方向Ｘに沿って配置された複数のガード歯３７（「毛捕捉切欠き」とも呼ぶ）を含み、切断要素２は、第１の方向Ｘに沿って配置された複数の移動歯２１を含む。動作中、駆動機構（図示せず）の制御の下で、移動歯２１は、第１の方向Ｘに沿って複数のガード歯３７に対して移動（又は振動）するように構成される。議論のために、第１の方向Ｘは、シェービングアセンブリ１００の長手方向と考えられてよい。
【００３０】
図１Ｂは、組み立てられた状態におけるシェービングアセンブリ１００の斜視図を例示している。図示のように、ガードフォイル３は、第１の方向Ｘに沿う軸に対してガードフォイル３の一部の屈曲部を介して引き延ばされて(stretched)、切断要素２を取り囲んでいる(surrounding)。幾つかの実施態様において、ガードフォイル３の厚さは、４０〜１２０マイクロメートルの範囲内にあり、例えば、８０マイクロメートルである。
【００３１】
ガードフォイル３は、屈曲部３８と平坦な接触面３１とを含む。屈曲部３８は、ガードフォイル３を支持部材１に固定するために第１の方向Ｘに延在している。平坦な接触面３１は、ユーザの皮膚と接触するように構成されている。
【００３２】
図１Ｂに更に示すように、第１の方向Ｘに沿う２つの横方向側面に加えて、平坦な接触面３１は、第１の方向Ｘに対して実質的に垂直に向けられ、且つ保護手段がその上に設けられずにユーザの皮膚に露出した、２つの滑動エッジ３９(glide  edges)も含む。上記で議論したように、滑動エッジ３９が薄い金属フォイルから打抜き又は切断によって形成されるという事実を考慮すると、これらの２つの滑動エッジ３９は、通常、鋭利であり、剃り心地又は安全性にとって最適でない。
【００３３】
前述のことを考慮して、本開示の様々な実施形態によれば、図１Ａ〜図１Ｂに示されるようなシェービングアセンブリ１００は、皮膚に優しい保護要素４を更に備える。保護要素４は、ガードフォイル３の端３１０に配置され、ユーザの皮膚に露出する湾曲面４１を含む。このようにして、鋭利なエッジがユーザの皮膚と直接接触することを回避することができ、それによって、剃り心地を向上させることができ、剃り安全性を保証することができる。
【００３４】
図２Ａ〜図６Ｃを参照して保護要素４を備えるシェービングアセンブリ１００の様々な実施形態を以下に記載する。
【００３５】
幾つかの実施態様では、保護要素４及びガードフォイル３の端３１０を一体的に形成することができる。換言すれば、保護要素４は、ガードフォイルの一部として考えられてよい。図２Ａ〜図２Ｂに示すような例示的な実施形態において、保護要素４は、ガードフォイル３の接触面３１からガードフォイル３の底面３３へ移動する丸みのある表面３２を含んでよい。図２Ｂは、第１の方向Ｘに沿う保護要素４の断面図を示している。図示のように、丸みのある表面３２は、ガードフォイル３の厚さＴ以上の丸め半径Ｒ(rounding  radius)を有してよい。
【００３６】
例えば、接触面３１のエッジを研磨することによって、ガードフォイル３の厚さに近い半径を備えるそのような円弧状エッジ(arced  edge)（「丸み付きエッジ(radiused  edge)」と呼ぶこともある）を達成することができる。丸み付きエッジは、接触面３１の全体的な平坦な形状を変化させず、エッジのプロファイルを厚さ方向において局所的にのみ変化させる、或いは、換言すれば、ガードフォイル３の底面３３は、実質的に平坦に維持される。従って、ガードフォイル３の全体的な剛性を良好に維持することができる。その上、追加的な要素又は部品がないこと、並びに単純な研磨手順は、保護要素を費用効果的にする。
【００３７】
代替的に、図３に示すような別の例示的な実施形態において、保護要素４は、ガードフォイル３から移行し、皮膚Ｙ１から離れる方向に徐々に湾曲するように構成された、湾曲部分３４を含む。この設計において、湾曲部分３４は、ガードフォイル３の接触面３１から移動する第１の湾曲面３４１と、ガードフォイル３の底面３３から移動する第２の湾曲面３４２とを含む。
【００３８】
幾つかの実施態様において、湾曲部分３４は、ガードフォイル３の厚さＴと実質的に等しい均一な厚さＴ１を有してよい。幾つかの他の実施形態では、湾曲部分３４全体に亘る厚さの変化が許容されてよい。
【００３９】
引っ込んだエッジ(receding  edge)を備えるそのような湾曲部分３４は、大きな空間内で湾曲させられるか或いは曲げられることが許容されるので、湾曲部分３４の曲率を大きく調整することができ、それによって、高い設計の柔軟性を可能にすることができる。
【００４０】
更に別の実施形態において、保護要素４は、第１の湾曲部分３５と、第２の湾曲部分３６とを含んでよく、それらは湾曲面４１を共に画定する。例えば、図４Ａ〜図４Ｂに示すように、第１の湾曲部分３５は、ガードフォイル３から移行し、皮膚に向かう方向Ｙ２に徐々に湾曲するように構成され、第２の湾曲部分３６は、第１の湾曲部分３５から移行し、皮膚から離れる方向Ｙ１に徐々に湾曲するように構成される。
【００４１】
幾つかの実施態様において、第１の湾曲部分３５及び第２の湾曲部分３６は、ガードフォイル３の厚さＴと実質的に等しい均一な厚さＴ２を有してよい。幾つかの他の実施形態では、第１の湾曲部分３５及び第２の湾曲部分３６全体に亘る厚さの変化が許容されてよい。
【００４２】
この設計では、追加的な要素又は部品が必要とされず、それは保護要素を費用効果的にする。その上、図３に示すような引っ込んだエッジと比較して、引っ込んだエッジの僅かな持上がり(raising)は、小さな「膨らみ(バルジ)(bulge)」を作り出し、それはガード歯３７のための主要な機能的な曲げのために側面からの曲げ応力を均衡させるのに役立つ。一方、そのような小さな膨らみは、シェービング性能に殆ど影響を有さず、或いは全く影響を有さない。
【００４３】
図５Ａ〜図５Ｂに示すような幾つかの実施例において、保護要素４は、ラッカ(lacquer)又は樹脂(resin)で作られ、且つガードフォイル３の端３１０を取り囲む丸みのあるプロファイル４７を有する、ビーズ(bead)として構成されることができる。例えば、鋭利なエッジの単純な浸漬(dipping)又はエッジ塗装(edge-painting)によって形成される、そのような保護要素４は、効果的かつ低コストな保護解決策を提供することができる。その上、追加的な保護ビーズの故に、シェービングアセンブリ１００のシェービング寿命のための十分な耐久性を達成することができる。
【００４４】
本開示の上記の詳細な実施形態は本開示の原理を例示するか或いは説明するためだけにあり、本開示を制限するためにないことが理解されるべきである。本開示の添付の請求項は、請求項の範囲及び境界又はその範囲及び境界の均等物に入る全ての変形及び修正をカバーすることを目的としている。
【先行技術文献】
【特許文献】
【００４５】
【特許文献１】中国特許出願公開第１０６３４６５１９Ａ号明細書
【手続補正書】
【提出日】令和2年6月3日(2020.6.3)
【手続補正１】
【補正対象書類名】明細書
【補正対象項目名】全文
【補正方法】変更
【補正の内容】
【発明の詳細な説明】
【技術分野】
【０００１】
本開示の実施形態は、一般的には、家庭用電化製品に関し、より具体的には、シェービングアセンブリ(shaving assembly)及びシェービングアセンブリを含む毛切断器具(hair
cutting appliance)に関する。
【背景技術】
【０００２】
顔毛を剃り且つ手入れするための従来的なトリマ(trimmers)又はクリッパ(clippers)は、皮膚から特定の距離で毛を切断するように設計されている。近接シェービングトリマ(close  shaving  trimmers)は、従来的なトリマよりも皮膚からより一層近い距離で毛を切ることを可能にするよう変更された構造を使用している。通常、近接シェービングトリマは、より薄いガード−歯に依存する。更に、効果的で快適なトリミングを達成するために、複雑な丸い構成よび他の構成が必要とされることもある。
【０００３】
ある構造において、歯の第1の皮膚接触部分は、例えば、近接毛切断を可能にするよう薄い金属ガード歯と組み合わされた（プラスチックのような）成形可能な材料から構成されることがある。
【０００４】
特許文献１に開示されているような代替的な構造では、ガード歯又は毛捕捉切欠きを備える薄く平坦な金属シートが成形されたベースの上に延ばされる。このタイプの構造は、コストに関する利点を有する。何故ならば、このタイプの構造は、薄いフォイル(箔)の平坦なシートから簡単に構成されることができるからである。しかしながら、この構造は、皮膚の上を滑動する側面での快適性及び安全性の問題に対処していない。両方の滑動側面のエッジは、真っ直ぐであり、シェービングの快適性又は安全性について最適でない。何故ならば、それらは、打抜き又は切断によって薄い平坦なシートから形成されるからである。この場合、鋭利な滑動スライドが適用され且つ皮膚の上で滑らされるときに、不快感が引き起こされる。
【０００５】
特許文献２は、支持部材と、切断要素と、切断要素を取り囲むガードフォイルとを含む、シェービングアセンブリを開示している。この文献に従ったガードフォイルは、屈曲部と、平坦な接触面とを含み、保護要素が、ガードフォイルの少なくとも１つの端に配置されている。
【０００６】
特許文献３は、プラスチックで作られる端保護要素を開示しており、端保護要素は、ブレード上に直接的に射出成形されるか、或いは別個に形成されてブレードに接合される。
【発明の概要】
【０００７】
鋭利な滑動側面(glide  sides)によって引き起こされる不快感の問題を解決し、そして、安全性の問題さえも解決するために、本開示の実施形態は、保護要素を備えるシェービングアセンブリ及びそのようなシェービングアセンブリを含む毛切断器具を提供する。
【０００８】
第１の態様において、シェービングアセンブリが提供される。シェービングアセンブリは、支持部材と、第１の方向に延在する切断要素と、第１の方向に引き延ばされ且つ延在し、切断要素を取り囲む、ガードフォイルと、ガードフォイルの少なくとも１つの端に配置され、皮膚に曝される湾曲面を含む、保護要素とを含み、ガードフォイルは、屈曲部と、平坦な接触面とを含み、屈曲部は、ガードフォイルを支持部材に固定するために第１の方向に延び、平坦な接触面は、皮膚と接触するように構成される。
【０００９】
保護要素及びガードフォイルの端は、一体的に形成される。保護要素は、ガードフォイルの接触面からガードフォイルの底面へ移行する丸みのある表面を含み、丸みのある表面は、ガードフォイルの厚さ以上の丸め半径を有する。
【００１０】
この設計において、丸みのある表面は、接触面の全体的な平坦な形状を変化させず、厚さ方向のエッジのプロファイルを局所的にのみ変化させる。従って、ガードフォイルの全体的な剛性を良好に維持することができる。その上、追加的な要素（又は部品）がないこと、並びに単純な製造は、そのような保護要素を費用効果的にする。
【００１１】
本開示の実施形態によれば、保護要素は、ユーザの皮膚が未処理の鋭利なエッジと直接接触することを効果的に回避することができ、それによって、ユーザの皮膚との皮膚に優しい接触を可能にする。
【００１２】
第２の態様において、シェービングアセンブリが提供される。シェービングアセンブリは、支持部材と、第１の方向に延在する切断要素と、第１の方向に引き延ばされ且つ延在し、切断要素を取り囲む、ガードフォイルと、ガードフォイルの少なくとも１つの端に配置され、皮膚に曝される湾曲面を含む、保護要素とを含み、ガードフォイルは、屈曲部と、平坦な接触面とを含み、屈曲部は、ガードフォイルを支持部材に固定するために第１の方向に延び、平坦な接触面は、皮膚と接触するように構成される。
【００１３】
保護要素及びガードフォイルの端は、一体的に形成される。保護要素は、ガードフォイルから移行し、皮膚から離れる方向に徐々に湾曲するように構成される、湾曲部分を含み、湾曲部分は、ガードフォイルの接触面から移行する第１の湾曲面と、ガードフォイルの底面から移行する第２の湾曲面とを含む。
【００１４】
本開示の実施形態によれば、保護要素は、ユーザの皮膚が未処理の鋭利なエッジと直接接触することを効果的に回避することができ、それによって、ユーザの皮膚との皮膚に優しい接触を可能にする。
【００１５】
この設計において、引っ込んだエッジ(receding  edge)を備えるそのような湾曲部分は、大きな空間内で湾曲させられる或いは曲げられることが許容される。従って、湾曲部分の曲率を大きく調整することができ、それによって、高い設計の柔軟性を可能にすることができる。
【００１６】
第３の態様において、シェービングアセンブリが提供される。シェービングアセンブリは、支持部材と、第１の方向に延在する切断要素と、第１の方向に引き延ばされ且つ延在し、切断要素を取り囲む、ガードフォイルと、ガードフォイルの少なくとも１つの端に配置され、皮膚に曝される湾曲面を含む、保護要素とを含み、ガードフォイルは、屈曲部と、平坦な接触面とを含み、屈曲部は、ガードフォイルを支持部材に固定するために第１の方向に延び、平坦な接触面は、皮膚と接触するように構成される。
【００１７】
保護要素及びガードフォイルの端は、一体的に形成される。保護要素は、ガードフォイルから移行し、皮膚に向かう方向に徐々に湾曲するように構成される、第１の湾曲部分と、第１の湾曲部分から移行し、皮膚から離れる方向に徐々に湾曲するように構成される、第２の湾曲部分とを含み、第１の湾曲部分及び第２の湾曲部分は、湾曲面を共同で画定する。
【００１８】
本開示の実施形態によれば、保護要素は、ユーザの皮膚が未処理の鋭利なエッジと直接接触することを効果的に回避することができ、それによって、ユーザの皮膚との皮膚に優しい接触を可能にする。
【００１９】
この設計では、追加的な要素又は部品が必要とされず、それは保護要素を費用効果的にする。その上、引っ込んだエッジの僅かな持上がり(raising)は、小さな「膨らみ(バルジ)(bulge)」を作り出し、それは、ガード歯のための主要な機能的な曲げのために側面からの曲げ応力を均衡させるのに役立ち得る。一方、そのような小さな膨らみは、シェービング性能に殆どを影響を有さず、或いは全く影響を有さない。
【００２０】
第４の態様において、シェービングアセンブリが提供される。シェービングアセンブリは、支持部材と、第１の方向に延在する切断要素と、第１の方向に引き延ばされ且つ延在し、切断要素を取り囲む、ガードフォイルと、ガードフォイルの少なくとも１つの端に配置され、皮膚に曝される湾曲面を含む、保護要素とを含み、ガードフォイルは、屈曲部と、平坦な接触面とを含み、屈曲部は、ガードフォイルを支持部材に固定するために第１の方向に延び、平坦な接触面は、皮膚と接触するように構成される。
【００２１】
保護要素は、ラッカ又は樹脂で作られ、ガードフォイルの端を取り囲む丸みのあるプロファイルを有する、ビードとして構成される。
【００２２】
そのような保護要素は、効果的で低コストの保護解決策を提供するよう、鋭利なエッジの単純な浸漬(dipping)又はエッジ塗装(edge-painting)によって形成される。その上、シェービングアセンブリのシェービング寿命のための十分な耐久性を達成することができる。
【００２３】
本開示の実施形態によれば、保護要素は、ユーザの皮膚が未処理の鋭利なエッジと直接接触することを効果的に回避することができ、それによって、ユーザの皮膚との皮膚に優しい接触を可能にする。
【００２４】
第５の態様において、毛切断器具が提供される。毛切断器具は、本開示の第１の態様に従ったシェービングアセンブリと、シェービングアセンブリの内側で切断要素の動きを引き起こすように構成される駆動機構とを含む。
【００２５】
以下の議論を通じて、従来的な毛切断器具と比較して、本開示の様々な実施形態に従った皮膚に優しいシェービングアセンブリを含む毛切断器具は、鋭利なエッジがユーザの皮膚に直接接触することを回避し、それによって、不快感及び安全性の問題を除去することができることは明らかであろう。一方、より安価なコンポーネント及びより複雑でない丸め設計の故に、器具の全体コストが低減され、製造／組立が単純化される。
【００２６】
本明細書に記載する図面は、本開示を更に説明するために提供され、本開示の一部を構成する。本開示の例示的な実施形態及びそれらの説明は、本開示を不適切に限定するためではなく、本開示を説明するために使用される。
【図面の簡単な説明】
【００２７】
【図１Ａ】組み立てられていない状態における従来的なシェービングアセンブリの斜視図を例示している。
【図１Ｂ】組み立てられた状態における図１Ａのシェービングアセンブリの斜視図を例示している。
【図２Ａ】本開示の実施形態に従ったガードフォイルの一部として構成された保護コンポーネントを含むシェービングアセンブリの斜視図を例示している。
【図２Ｂ】図２Ａの保護コンポーネントを含むシェービングアセンブリの断面図を例示している。
【図３】本開示の実施形態に従ったガードフォイルの一部として構成された保護コンポーネントを含むシェービングアセンブリの断面図を例示している。
【図４Ａ】本開示の実施形態に従ったガードフォイルの一部として構成された保護コンポーネントを含むシェービングアセンブリの斜視図を例示している。
【図４Ｂ】図４Ａの保護コンポーネントを含むシェービングアセンブリの断面図を例示している。
【図５Ａ】本開示の実施形態に従った別個のコンポーネントとして構成された保護コンポーネントを含むシェービングアセンブリの斜視図を例示している。
【図５Ｂ】図５Ａの保護コンポーネントを含むシェービングアセンブリの断面図を例示している。
【発明を実施するための形態】
【００２８】
図面を通じて、同一又は類似の参照記号を使用して、同一又は類似の要素を指し示す。
【００２９】
次に、図面に示す幾つかの例示的な実施形態を参照して本開示の原理を記載する。本開示の例示的な実施形態が図面に例示されているが、実施形態は、本開示の範囲を如何なる方法においても制限するのではなく、当業者が本開示をより良く理解することによって本開示を達成することを容易にするために記載されているに過ぎないことが理解されるべきである。
【００３０】
図１Ａは、組み立てられていない状態における従来的なシェービングアセンブリ１００の斜視図を例示している。図示のように、シェービングアセンブリ１００は、一般的に、支持部材１と、第１の方向Ｘに延在する切断要素２と、同様に第１の方向Ｘに延在するガードフォイル３(guard  foil)とを含む。
【００３１】
接触面３１は、第１の方向Ｘに沿って配置された複数のガード歯３７（「毛捕捉切欠き」とも呼ぶ）を含み、切断要素２は、第１の方向Ｘに沿って配置された複数の移動歯２１を含む。動作中、駆動機構（図示せず）の制御の下で、移動歯２１は、第１の方向Ｘに沿って複数のガード歯３７に対して移動（又は振動）するように構成される。議論のために、第１の方向Ｘは、シェービングアセンブリ１００の長手方向と考えられてよい。
【００３２】
図１Ｂは、組み立てられた状態におけるシェービングアセンブリ１００の斜視図を例示している。図示のように、ガードフォイル３は、第１の方向Ｘに沿う軸に対してガードフォイル３の一部の屈曲部を介して引き延ばされて(stretched)、切断要素２を取り囲んでいる(surrounding)。幾つかの実施態様において、ガードフォイル３の厚さは、４０〜１２０マイクロメートルの範囲内にあり、例えば、８０マイクロメートルである。
【００３３】
ガードフォイル３は、屈曲部３８と平坦な接触面３１とを含む。屈曲部３８は、ガードフォイル３を支持部材１に固定するために第１の方向Ｘに延在している。平坦な接触面３１は、ユーザの皮膚と接触するように構成されている。
【００３４】
図１Ｂに更に示すように、第１の方向Ｘに沿う２つの横方向側面に加えて、平坦な接触面３１は、第１の方向Ｘに対して実質的に垂直に向けられ、且つ保護手段がその上に設けられずにユーザの皮膚に露出した、２つの滑動エッジ３９(glide  edges)も含む。上記で議論したように、滑動エッジ３９が薄い金属フォイルから打抜き又は切断によって形成されるという事実を考慮すると、これらの２つの滑動エッジ３９は、通常、鋭利であり、剃り心地又は安全性にとって最適でない。
【００３５】
前述のことを考慮して、本開示の様々な実施形態によれば、図１Ａ〜図１Ｂに示されるようなシェービングアセンブリ１００は、皮膚に優しい保護要素４を更に備える。保護要素４は、ガードフォイル３の端３１０に配置され、ユーザの皮膚に露出する湾曲面４１を含む。このようにして、鋭利なエッジがユーザの皮膚と直接接触することを回避することができ、それによって、剃り心地を向上させることができ、剃り安全性を保証することができる。
【００３６】
図２Ａ〜図６Ｃを参照して保護要素４を備えるシェービングアセンブリ１００の様々な実施形態を以下に記載する。
【００３７】
幾つかの実施態様では、保護要素４及びガードフォイル３の端３１０を一体的に形成することができる。換言すれば、保護要素４は、ガードフォイルの一部として考えられてよい。図２Ａ〜図２Ｂに示すような例示的な実施形態において、保護要素４は、ガードフォイル３の接触面３１からガードフォイル３の底面３３へ移動する丸みのある表面３２を含んでよい。図２Ｂは、第１の方向Ｘに沿う保護要素４の断面図を示している。図示のように、丸みのある表面３２は、ガードフォイル３の厚さＴ以上の丸め半径Ｒ(rounding  radius)を有してよい。
【００３８】
例えば、接触面３１のエッジを研磨することによって、ガードフォイル３の厚さに近い半径を備えるそのような円弧状エッジ(arced  edge)（「丸み付きエッジ(radiused  edge)」と呼ぶこともある）を達成することができる。丸み付きエッジは、接触面３１の全体的な平坦な形状を変化させず、エッジのプロファイルを厚さ方向において局所的にのみ変化させる、或いは、換言すれば、ガードフォイル３の底面３３は、実質的に平坦に維持される。従って、ガードフォイル３の全体的な剛性を良好に維持することができる。その上、追加的な要素又は部品がないこと、並びに単純な研磨手順は、保護要素を費用効果的にする。
【００３９】
代替的に、図３に示すような別の例示的な実施形態において、保護要素４は、ガードフォイル３から移行し、皮膚Ｙ１から離れる方向に徐々に湾曲するように構成された、湾曲部分３４を含む。この設計において、湾曲部分３４は、ガードフォイル３の接触面３１から移動する第１の湾曲面３４１と、ガードフォイル３の底面３３から移動する第２の湾曲面３４２とを含む。
【００４０】
幾つかの実施態様において、湾曲部分３４は、ガードフォイル３の厚さＴと実質的に等しい均一な厚さＴ１を有してよい。幾つかの他の実施形態では、湾曲部分３４全体に亘る厚さの変化が許容されてよい。
【００４１】
引っ込んだエッジ(receding  edge)を備えるそのような湾曲部分３４は、大きな空間内で湾曲させられるか或いは曲げられることが許容されるので、湾曲部分３４の曲率を大きく調整することができ、それによって、高い設計の柔軟性を可能にすることができる。
【００４２】
更に別の実施形態において、保護要素４は、第１の湾曲部分３５と、第２の湾曲部分３６とを含んでよく、それらは湾曲面４１を共に画定する。例えば、図４Ａ〜図４Ｂに示すように、第１の湾曲部分３５は、ガードフォイル３から移行し、皮膚に向かう方向Ｙ２に徐々に湾曲するように構成され、第２の湾曲部分３６は、第１の湾曲部分３５から移行し、皮膚から離れる方向Ｙ１に徐々に湾曲するように構成される。
【００４３】
幾つかの実施態様において、第１の湾曲部分３５及び第２の湾曲部分３６は、ガードフォイル３の厚さＴと実質的に等しい均一な厚さＴ２を有してよい。幾つかの他の実施形態では、第１の湾曲部分３５及び第２の湾曲部分３６全体に亘る厚さの変化が許容されてよい。
【００４４】
この設計では、追加的な要素又は部品が必要とされず、それは保護要素を費用効果的にする。その上、図３に示すような引っ込んだエッジと比較して、引っ込んだエッジの僅かな持上がり(raising)は、小さな「膨らみ(バルジ)(bulge)」を作り出し、それはガード歯３７のための主要な機能的な曲げのために側面からの曲げ応力を均衡させるのに役立つ。一方、そのような小さな膨らみは、シェービング性能に殆ど影響を有さず、或いは全く影響を有さない。
【００４５】
図５Ａ〜図５Ｂに示すような幾つかの実施例において、保護要素４は、ラッカ(lacquer)又は樹脂(resin)で作られ、且つガードフォイル３の端３１０を取り囲む丸みのあるプロファイル４７を有する、ビーズ(bead)として構成されることができる。例えば、鋭利なエッジの単純な浸漬(dipping)又はエッジ塗装(edge-painting)によって形成される、そのような保護要素４は、効果的かつ低コストな保護解決策を提供することができる。その上、追加的な保護ビーズの故に、シェービングアセンブリ１００のシェービング寿命のための十分な耐久性を達成することができる。
【００４６】
本開示の上記の詳細な実施形態は本開示の原理を例示するか或いは説明するためだけにあり、本開示を制限するためにないことが理解されるべきである。本開示の添付の請求項は、請求項の範囲及び境界又はその範囲及び境界の均等物に入る全ての変形及び修正をカバーすることを目的としている。
【先行技術文献】
【特許文献】
【００４７】
【特許文献１】中国特許出願公開第１０６３４６５１９Ａ号明細書
【特許文献２】米国特許第２，３２３，６５５Ａ号明細書
【特許文献３】欧州特許出願公開第２８７５９１７Ａ１号明細書
【手続補正書】
【提出日】令和2年10月1日(2020.10.1)
【手続補正１】
【補正対象書類名】明細書
【補正対象項目名】００３６
【補正方法】変更
【補正の内容】
【００３６】
図２Ａ〜図５Ｂを参照して保護要素４を備えるシェービングアセンブリ１００の様々な実施形態を以下に記載する。
【手続補正２】
【補正対象書類名】図面
【補正対象項目名】図６Ａ
【補正方法】削除
【補正の内容】
【手続補正３】
【補正対象書類名】図面
【補正対象項目名】図６Ｂ
【補正方法】削除
【補正の内容】
【手続補正４】
【補正対象書類名】図面
【補正対象項目名】図６Ｃ
【補正方法】削除
【補正の内容】
【国際調査報告】
2021505252.tif 000015
2021505252.tif 000016